(57)【要約】      （修正有）【課題】コストや時間を削減し、封筒や包装としてのみならず、五角形の宣伝媒体等としても利用することができる包装体を提供する。【解決手段】長方形ＡＢＣＤにおいて、ＡＢ：ＢＣの比を約１：１．０２６とし、ＢＣ、ＤＡ上のそれぞれの点をＥ、Ｆとし、長方形の中心Ｏを通る線分ＥＦと辺ＢＣのなす角∠ＢＥＦが約５４度となるように点ＥとＦを決め、線分ＥＦをほぼ３等分する点ＧおよびＨと、辺ＢＣ、ＡＢ、ＣＤ、ＤＡ上の点をそれぞれＩ、Ｊ、Ｋ、Ｌとし、∠ＨＧＩ、∠ＧＨＪ、∠ＨＧＫおよび∠ＧＨＬがそれぞれ約１０８度の角をなすようにＩ、Ｊ、Ｋ、Ｌを決め、さらに、辺ＡＢ、ＣＤ上の点をそれぞれＭ、Ｎとし，∠ＢＩＭおよび∠ＤＬＮがそれぞれ約１８度の角をなすようにＭ、Ｎを決め、線分ＧＨ、ＩＧ、ＨＪ、ＧＫ、ＨＬ、ＩＭおよびＬＮを山折りで折り、線分ＥＧおよび線分ＦＨを谷折りで折ることにより、五角形包装体を構成する。【選択図】図１
2012071852.tif 000002
【特許請求の範囲】
【請求項１】
紙や布などのシート状の長方形の材料であって、左回りに頂点をＡ、Ｂ、Ｃ、Ｄとする長方形ＡＢＣＤにおいて、ＡＢ：ＢＣの比を約１：１．０２６とし、ＢＣ、ＤＡ上のそれぞれの点をＥ、Ｆとし、長方形の中心Ｏを通る線分ＥＦと辺ＢＣのなす角∠ＢＥＦが約５４度となるように点ＥとＦを決め、線分ＥＦをほぼ３等分する点ＧおよびＨと、辺ＢＣ、ＡＢ、ＣＤ、ＤＡ上の点をそれぞれＩ、Ｊ、Ｋ、Ｌとし、∠ＨＧＩ、∠ＧＨＪ、∠ＨＧＫおよび∠ＧＨＬがそれぞれ約１０８度の角をなすようにＩ、Ｊ、Ｋ、Ｌを決め、さらに、辺ＡＢ、ＣＤ上の点をそれぞれＭ、Ｎとし，∠ＢＩＭおよび∠ＤＬＮがそれぞれ約１８度の角をなすようにＭ、Ｎを決め、線分ＧＨ、ＩＧ、ＨＪ、ＧＫ、ＨＬ、ＩＭおよびＬＮを山折りで折り、線分ＥＧおよび線分ＦＨを谷折りで折ることにより、五角形ＧＩＭＪＨおよびＧＫＮＬＨに囲まれた部分をポケットとし、三角形ＢＩＭおよびＤＬＮをフタとした五角形包装体。
【請求項２】
前記の三角形ＢＩＭおよびＤＬＮのフタを接着等の手段により、一時的あるいは恒久的にフタがはずれないようにし、二つの五角形ＧＩＭＪＨおよびＧＫＮＬＨの間に入れた物体が封じ込められるようにした請求項１に記載の五角形包装体。
【請求項３】
前記の三角形ＢＩＭおよびＤＬＮのフタに粘着剤を塗布しておき、それらのフタを折り込んで、それぞれを五角形ＧＫＮＬＨおよびＧＩＭＪＨに粘着させ、フタが自然にははずれないようにした後、必要に応じて、粘着部をめくることによりフタを外すこともできるようにしたことを特徴とする請求項１に記載の五角形包装体。
【請求項４】
擬似接着剤を用いた接着等の手段により、前記の三角形ＢＩＭおよびＤＬＮのフタが自然にははずれないようにした後、強制的にフタを外した場合は再びフタが接着しないようにしたことを特徴とする請求項１に記載の五角形包装体。
【発明の詳細な説明】
【技術分野】
【０００１】
本発明は、封筒、袋等として用いられる五角形包装体に関する。
【背景技術】
【０００２】
便箋を入れる封筒として、従来、型抜きや切り込み加工がされた紙を封筒状に折り、切り込みに糊代として突出部を挿入したり、またその部分に糊付け等して封緘したものが知られている（例えば、特許文献１参照）。
【０００３】
また、商業分野における販売促進のためのダイレクトメール等の封筒には、宣伝効果を向上させる目的で様々な創意工夫がなされている。例えば、型抜き加工された封筒自体に宛先の他にカレンダーと宣伝広告とを印刷しておき、三つ折りすることでカレンダーと宣伝広告とを表示する卓上スタンドとしても利用できるようにされている（特許文献２参照）。
【０００４】
また、個人情報等を隠蔽するための、擬似接着を用いた二つ折りの見開き葉書が広く利用されている。二つ折りの見開き葉書は、差出人側にて、二つ折りによって内側になる面に個人情報等が記入される見開き葉書用基材と、見開き葉書用基材の内側面同士を見開き可能に貼着する両面粘着シートとを備えるものである。
【０００５】
両面粘着シートとしては、例えば、透明層である透明樹脂フィルムの２層が、剥離可能にかつ再貼着不能に接着され（ この接着のことを擬似接着という。）、各透明樹脂フィルムの外側の面に粘着剤層が設けられたものが記載されている。この場合の擬似接着は、ドライラミネート法や押し出しラミネート法により行われている（特許文献３参照）。
【０００６】
上記両面粘着シートを備える見開き葉書は、差出人側にて、両面粘着シートにより閉じられ、受取人側にて、両面粘着シートの透明樹脂フィルム同士をそれらの界面にて剥離させることにより開かれる。見開き葉書が開かれた状態では、透明樹脂フィルムおよび粘着剤層を通して見開き葉書用基材に記入された個人情報等を読み取ることができる。容易に葉書を開封でき、一度、開かれると、再び接着しないようになっており、展開が容易である。
【先行技術文献】
【特許文献】
【０００７】
【特許文献１】実用新案登録第３０７７４４２号公報
【特許文献２】実用新案登録第３１０２５０４号公報
【特許文献３】特開平０７−１７９０８２ 号公報
【発明の概要】
【発明が解決しようとする課題】
【０００８】
これらの従来の包装や封筒は、型抜き、切り込み、突出部、及び糊代等が設けられ、切り込みに突出部を挿入したり、糊付け等により封緘されているため、製造時に材料の不要部分も多く、ゴミとなる。また、展開するのが困難な場合も多い。
【０００９】
そこで、本発明が解決しようとする課題は、コストや時間を削減するだけでなく、簡易な作業で包装や封筒を作ることができる包装体を提供することである。また、容易にその包装体を展開でき、その内側を見ることができ、内側に説明文や広告などの情報を書くことも可能にすることである。もちろん外側にも書くことができる。
【課題を解決するための手段】
【００１０】
本発明は、前記課題を解決するためになされたもので、請求項１の発明では、図１に示すように、左回りに頂点をＡ、Ｂ、Ｃ、Ｄとする長方形ＡＢＣＤにおいて、ＡＢ：ＢＣの比を約１：１．０２６とし、ＢＣ、ＤＡ上のそれぞれの点をＥ、Ｆとし、長方形の中心Ｏを通る線分ＥＦと辺ＢＣのなす角∠ＢＥＦが約５４度となるように点ＥとＦを決め、線分ＥＦをほぼ３等分する点ＧおよびＨと、辺ＢＣ、ＡＢ、ＣＤ、ＤＡ上の点をそれぞれＩ、Ｊ、Ｋ、Ｌとし、∠ＨＧＩ、∠ＧＨＪ、∠ＨＧＫおよび∠ＧＨＬがそれぞれ約１０８度の角をなすようにＩ、Ｊ、Ｋ、Ｌを決め、さらに、辺ＡＢ、ＣＤ上の点をそれぞれＭ、Ｎとし，∠ＢＩＭおよび∠ＤＬＮがそれぞれ約１８度の角をなすようにＭ、Ｎを決め、線分ＧＨ、ＩＧ、ＨＪ、ＧＫ、ＨＬ、ＩＭおよびＬＮを山折りで折り、線分ＥＧおよび線分ＦＨを谷折りで折ることにより、五角形ＧＩＭＪＨおよびＧＫＮＬＨに囲まれた部分をポケットとし、三角形ＢＩＭおよびＤＬＮをフタとし、折り上げると表面は図２のように、裏面は図３のようになる五角形包装体である。
【００１１】
請求項２の発明では、前記の三角形ＢＩＭおよびＤＬＮのフタを接着等の手段により、一時的あるいは恒久的にフタがはずれないようにし、二つの五角形ＧＩＭＪＨおよびＧＫＮＬＨの間に入れた物体が封じ込められるようにした五角形包装体である。
【００１２】
請求項３の発明では、前記請求項１に記載の五角形包装体において、前記の三角形ＢＩＭおよびＤＬＮのフタに粘着剤を塗布しておき、それらのフタを折り込んで、それぞれを五角形ＧＫＮＬＨおよびＧＩＭＪＨに粘着させ、フタが自然にははずれないようにした後、必要に応じて、粘着部をめくることによりフタを外すこともできるようにしたことを特徴とする五角形包装体である。
【００１３】
請求項４の発明では、前記請求項１に記載の五角形包装体において、擬似接着剤を用いた接着等の手段により、フタである三角形ＢＩＭおよびＤＬＮのフタが自然にははずれないようにした後、強制的にフタを外した場合は再びフタが接着しないようにしたことを特徴とする五角形包装体である。
【発明の効果】
【００１４】
請求項１の発明では、本包装体は、材料の形状が長方形であり、型抜き、切り込み、突出部、及び糊代等が不要で、容易に加工ができる。加工代は基本的に不要で、切り捨てられる無駄もなく、非常に効率の良い材料の使い方となる。したがって、包装体を生産するためのコストや時間を削減することができる。
【００１５】
五角形の重畳部にポケットとして物体を入れることができ、各種の包装にも使える。物体として紙幣を入れると財布としても使える。折りたたみや展開が容易で、意外性があり，五角形包装体の内側の部分に地図や文字や絵などを書いておくことにより、広告等の新たな役割を持つことになる。
【００１６】
さらに、この包装体は、図２のように折りたたんでから、二つのフタの部分をもってお互いに引き離すように引っ張ると容易に展開ができ、逆に、展開されたフタの部分をもってお互いのフタ同志を近づけると、元の五角形に容易に折りたためる。これを利用して、ポケット地図や広告などに使うことができる。 
【００１７】
また、この包装体はほぼ正五角形をしており、神社の絵馬札として使える他、五角の発音と合格の発音との言葉遊びとして、合格を願う受験生には、縁起の良いものとしてとらえられる。
【００１８】
さらにシート材として布を用いたときは、スナップや紐をつけて接着と同様の効果を持たすこともでき、五角形包装体として使用できる。
【００１９】
請求項２の発明では、物体として、便箋などを入れ、糊付けし、郵便切手を貼ると、郵便封筒としても使える。
【００２０】
請求項３の発明では、その包装体にあらかじめ重畳部である二つの五角形ＧＩＭＪＨおよびＧＫＮＬＨの五角形に囲まれた部分がなすポケットの内部にメモ等を書いておくと、五角形に折り、フタである三角形ＢＩＭおよびＤＬＮの粘着部をそれぞれ五角形ＧＫＮＬＨおよびＧＩＭＪＨに粘着させると、内部が見えないメモ用紙として使える。一方、五角形に折らずに、長方形のまま他の用紙などに貼りつける粘着剤付きメモ用紙としても使える。また、粘着性を強くしておくと、二つの五角形ＧＩＭＪＨおよびＧＫＮＬＨがなすポケットの内部に入れた物体を封じ込める包装体とすることもできる。
【００２１】
請求項４の発明では、封筒のフタをするときは両面接着テープのように剥離ラベル紙を剥がして使用し、開封するときは接着強度の弱い擬似接着剤の層できれいにはがれることにより、封筒が破れることなくフタが開く。一度封筒のフタをあけると、擬似接着剤は二度と接着しなくなり、開封の有無を調べることができ、セキュリティチェックに使える。
【発明を実施するための形態】
【００２２】
包装体１は、長方形ＡＢＣＤの形状をした紙や布などのシート材からなり、線分ＧＨ、ＩＧ、ＨＪ、ＧＫ、ＨＬ、ＩＭおよびＬＮを山折りで折り、線分ＥＧおよび線分ＦＨを谷折りで折ることにより、五角形ＧＩＭＪＨおよびＧＫＮＬＨに囲まれた部分がポケットとなり、三角形ＢＩＭおよびＤＬＮがフタとなる五角形包装体を構成する。
【００２３】
具体例として、図１に示す実施例の場合、包装体1の材料形状を，長方形とし，長方形の２辺ＡＢ：ＢＣの比を１：１．０２６とし、∠ＢＥＦを５４度となるようにＥＦを山折りに折り返すと図４に示すようになる。ここで、ＥＧ、ＨＦを谷折りに折り直し、ＩＧ、ＫＧ、ＪＨおよびＬＨを山折りに折ると、図５のようになる。
【００２４】
さらに、線分ＩＭおよび線分ＬＮをそれぞれ山折りとし、フタである三角形ＢＩＭおよびＤＬＮをそれぞれ五角形ＧＫＤＬＨおよびＧＩＭＪＨの外側に折ると、三角形ＢＩＭおよびＤＬＮは同じ形となり、一番角度の狭い頂角は１８度となり、でき上がる五角形は、図６に示すように、正五角形となる。
【００２５】
このとき、三角形ＢＩＭおよびＤＬＮに糊などの接着剤をつけておくと請求項２の五角形包装体となる。また、接着剤の代わりに粘着剤を用いると請求項３の五角形包装体となる。さらに、接着剤や粘着剤の代わりに図７の両面接着中央剥離シールを用いると請求項４に記載の五角形包装体となる。
【００２６】
請求項４の発明では、具体的には、三角形ＢＩＭおよびＤＬＮのフタを接着等の手段により、フタが自然にははずれないようにした後、強制的にフタを外した場合に再びフタが接着しないようにするには、図７の実施例に示すように、三角形ＢＩＭおよびＤＬＮのフタと同じ形状か少し小さめの形状をした三角形ＤａＬａＮａの両面接着中央剥離封緘シール(又はテープ)を用いる(特許文献３参照)。
【００２７】
このシールは、図８にその断面形状を示すように、数層の材料からなる両面接着中央剥離封緘シールである。この層は、剥離ラベル紙、粘着剤、フィルム、擬似接着剤、フィルム、粘着剤、剥離ラベル紙から成り立っている。接着するときは、剥離ラベル紙をはがして粘着剤を包装体に貼り付ける。このようにして封緘された包装体を開封するときは、フタをはがすと、擬似接着剤の部分できれいに剥離し、剥離した部分は再接着しない。
【００２８】
なお、本発明は上述した実施の形態のみに限定されるものではなく、本発明の要旨を逸脱しない範囲において種々の変更が可能であることは勿論である。例えば、左右や上下を逆にしても、山折りの部分と谷折りの部分を逆に入れ替えても同じようなものができあがる。長方形の紙でなく正方形の紙を使っても、正五角形ではないが、正五角形に近い形となる。また、折り方が多少ずれても、寸法が少し異なっても、包装体としての機能はほとんど損なわず、本発明の技術的範囲に含まれる。
【図面の簡単な説明】
【００２９】
【図１】本発明の実施例である五角形包装体の展開図を示す平面図である。
【図２】本発明の実施例である折りあげた五角形包装体の正面図である。
【図３】本発明の実施例である折りあげた五角形包装体の裏面図である。
【図４】本発明の実施例である五角形包装体の折り方手順１を示す平面図である。
【図５】本発明の実施例である五角形包装体の折り方手順２を示す平面図である。
【図６】本発明の実施例である五角形包装体の折り方手順３を示す平面図である。
【図７】請求項４の発明の実施例である五角形包装体に用いる両面接着中央剥離封緘シールの形状を示す平面図である。
【図８】請求項４の発明の実施例である五角形包装体に用いる両面接着中央剥離封緘シールの断面の材料構成を示す断面図である。
【符号の説明】
【００３０】
１    包装体
１１    折り部（ＦＡＢＥ）
１２    折り部（ＥＣＤＦ）
１１１  ポケットとなる五角形折り部（ＧＩＭＪＨ）
１１２  折り部（ＨＦＡＪ）
１１３  折り部（ＧＩＥ）
１１４  フタとなる三角形折り部（ＢＩＭ）
１２１  ポケットとなる五角形折り部（ＧＫＮＬＨ）
１２２  折り部（ＥＣＫＧ）
１２３  折り部（ＨＬＦ）
１２４  フタとなる三角形折り部（ＤＬＮ）
２    両面接着中央剥離封緘シール
２１、２７  剥離ラベル紙
２２、２６  粘着剤
２３、２５  フィルム
２４  擬似接着剤
【図１】
2012071852.tif 000003
【図２】
2012071852.tif 000004
【図３】
2012071852.tif 000005
【図４】
2012071852.tif 000006
【図５】
2012071852.tif 000007
【図６】
2012071852.tif 000008
【図７】
2012071852.tif 000009
【図８】
2012071852.tif 000010